(57)【要約】【課題】文書区切り用原稿や文書中の情報を使用することなく文書を区切って複数件の紙文書を電子化することができる画像処理装置および画像処理プログラムを提供する。【解決手段】原稿台に置かれた原稿の画像を読み取り、画像情報を出力する読み取り手段と、読み取り手段から出力された画像情報に基づいて、原稿台に対する原稿の位置を示す位置情報を導出する導出手段と、導出手段により導出された位置情報に基づき、複数枚の原稿の区切りを検出する検出手段と、検出手段により区切りが検出された場合に、区切りが検出される前の画像情報と、区切りが検出された後の画像情報とを、区別して記憶手段に記憶するよう制御する制御手段と、を有する。【選択図】図４
2010068167.tif 000002
【特許請求の範囲】
【請求項１】
原稿台に置かれた原稿の画像を読み取り、画像情報を出力する読み取り手段と、
前記読み取り手段から出力された画像情報に基づいて、前記原稿台に対する前記原稿の位置を示す位置情報を導出する導出手段と、
前記導出手段により導出された位置情報に基づき、前記複数枚の原稿の区切りを検出する検出手段と、
前記検出手段により区切りが検出された場合に、区切りが検出される前の画像情報と、区切りが検出された後の画像情報とを、区別して記憶手段に記憶するよう制御する制御手段と、
を有する画像処理装置。
【請求項２】
前記原稿台は予め複数の領域に分割されており、
前記導出手段は、前記原稿台に予め定められた基準線に近い前記原稿の２つの頂点の中点を含む領域の位置に基づいて前記位置情報を導出する請求項１に記載の画像処理装置。
【請求項３】
前記原稿台は予め複数の領域に分割されており、
前記導出手段は、前記原稿の中心を含む領域の位置に基づいて前記位置情報を導出する請求項１に記載の画像処理装置。
【請求項４】
前記画像情報に基づき記録媒体に画像を形成する画像形成手段と、
前記画像形成手段により画像が形成された記録媒体を排紙する排紙手段と、
前記制御手段により区別して記憶手段に記憶された画像情報に基づき前記画像形成手段により画像が形成された記録媒体を、区別された画像情報毎に異なる位置に排紙するように前記排紙手段を制御する排紙制御手段と、
を更に有する請求項１〜請求項３のいずれか１項に記載の画像処理装置。
【請求項５】
コンピュータを、
原稿台に置かれた原稿の画像を読み取り、画像情報を出力する読み取り手段から出力された画像情報に基づいて、前記原稿台に対する前記原稿の位置を示す位置情報を導出する導出手段と、
前記導出手段により導出された位置情報に基づき、前記複数枚の原稿の区切りを検出する検出手段と、
前記検出手段により区切りが検出された場合に、区切りが検出される前の画像情報と、区切りが検出された後の画像情報とを、区別して記憶手段に記憶するよう制御する制御手段と、
して機能させるための画像処理プログラム。
【請求項６】
コンピュータを、請求項１〜請求項４のいずれか１項に記載の導出手段、検出手段、及び制御手段として機能させるための画像処理プログラム。
【発明の詳細な説明】
【技術分野】
【０００１】
本発明は、画像処理装置、画像処理プログラムに関する。
【背景技術】
【０００２】
複数件の紙文書を電子化する技術として、特許文献１には、文書間に予め特定の文書区切り用原稿を挿入しておくことで、文書の区切りを判定する技術が開示されている。
【０００３】
また、特許文献２には、予め文書区切りとなる原稿の裏面に文書区切りマークを付加しておくことで、文書の区切りを判定する技術が開示されている。
【０００４】
更に、特許文献３には、イメージスキャナで読み取った画像データから予め設定しておいた文字認識エリア部分を切り出し、文字認識し、この文字認識結果に基づき文書の区切りを判定する技術が開示されている。
【０００５】
また、特許文献４には、画像データから複数の特徴量(色相、スクリーン線数、レイアウト、文字の組み方向）を算出し、特徴量に基づいて文書区切りを判定する技術が開示されている。また、この技術では、判定が曖昧な場合にユーザが訂正を行うようになっている。
【特許文献１】特開平１−１６２４７４号公報
【特許文献２】特開平７−２８７７４７号公報
【特許文献３】特開平１０−２１３８０号公報
【特許文献４】特開２００２−２４２５８号公報
【発明の開示】
【発明が解決しようとする課題】
【０００６】
本発明は文書区切り用原稿や文書中の情報を使用することなく文書を区切って複数件の紙文書を電子化することができる画像処理装置および画像処理プログラムを提供することを目的とする。
【課題を解決するための手段】
【０００７】
上記目的を達成するために、請求項１の発明は、原稿台に置かれた原稿の画像を読み取り、画像情報を出力する読み取り手段と、前記読み取り手段から出力された画像情報に基づいて、前記原稿台に対する前記原稿の位置を示す位置情報を導出する導出手段と、前記導出手段により導出された位置情報に基づき、前記複数枚の原稿の区切りを検出する検出手段と、前記検出手段により区切りが検出された場合に、区切りが検出される前の画像情報と、区切りが検出された後の画像情報とを、区別して記憶手段に記憶するよう制御する制御手段と、を有するものである。
【０００８】
請求項２の発明は、請求項１の発明において、前記原稿台は予め複数の領域に分割されており、前記導出手段は、前記原稿台に予め定められた基準線に近い前記原稿の２つの頂点の中点を含む領域の位置に基づいて前記位置情報を導出するものである。
【０００９】
請求項３の発明は、請求項１の発明において、前記原稿台は予め複数の領域に分割されており、前記導出手段は、前記原稿の中心を含む領域の位置に基づいて前記位置情報を導出するものである。
【００１０】
請求項４の発明は、請求項１〜請求項３のいずれか１項の発明において、前記画像情報に基づき記録媒体に画像を形成する画像形成手段と、前記画像形成手段により画像が形成された記録媒体を排紙する排紙手段と、前記制御手段により区別して記憶手段に記憶された画像情報に基づき前記画像形成手段により画像が形成された記録媒体を、区別された画像情報毎に異なる位置に排紙するように前記排紙手段を制御する排紙制御手段と、を更に有するものである。
【００１１】
請求項５の発明は、コンピュータを、原稿台に置かれた原稿の画像を読み取り、画像情報を出力する読み取り手段から出力された画像情報に基づいて、前記原稿台に対する前記原稿の位置を示す位置情報を導出する導出手段と、前記導出手段により導出された位置情報に基づき、前記複数枚の原稿の区切りを検出する検出手段と、前記検出手段により区切りが検出された場合に、区切りが検出される前の画像情報と、区切りが検出された後の画像情報とを、区別して記憶手段に記憶するよう制御する制御手段と、して機能させるための画像処理プログラムである。
【００１２】
請求項６の発明は、コンピュータを、請求項１〜請求項４のいずれか１項に記載の導出手段、検出手段、及び制御手段として機能させるための画像処理プログラムである。
【発明の効果】
【００１３】
請求項１、請求項５及び請求項６記載の発明によれば、文書区切り用原稿や文書中の情報を使用することなく文書を区切って複数の紙文書を電子化することができる。
【００１４】
また、請求項２記載の発明によれば、原稿が基準線と平行に読みとられなくても原稿の位置を特定できる。
【００１５】
また、請求項３記載の発明によれば、本発明を適用しない場合に比較して、より確実に原稿の位置を導出することができる。
【００１６】
さらに、請求項４記載の発明によれば、件毎に電子化された文書を件毎に区別できる態様で紙文書として出力することができる。
【発明を実施するための最良の形態】
【００１７】
以下、図面を参照して、本発明の実施の形態について詳細に説明する。なお、以下の説明では、記録媒体に画像を形成することを印刷と表現することがある。また、本実施の形態において、文書は原稿が１枚以上集まったものを表現する場合に用いる。
【００１８】
図１は、本実施の形態に係る画像処理装置を示す図である。画像処理装置は、パソコン１０、スキャナ２０、及びプリンタ３０を含んで構成される。
【００１９】
このうち、スキャナ２０は、原稿台に置かれた原稿の画像を読み取り、画像情報を出力するものである。パソコン１０は、スキャナ２０から出力された画像情報に基づいて、原稿台に対する原稿の位置を示す位置情報を導出し、導出された位置情報に基づき、複数枚の原稿の区切りを検出し、区切りが検出された場合に、区切りが検出される前の画像情報と、区切りが検出された後の画像情報とを、区別して後述する記憶手段に記憶するよう制御する。
【００２０】
プリンタ３０は、画像情報に基づき記録媒体に画像を形成し、画像が形成された記録媒体を排紙するもので、区別して記憶手段に記憶された画像情報に基づき画像が形成された記録媒体を、区別された画像情報毎に異なる位置に排紙するように制御する。
【００２１】
次に、図２を用いてパソコン１０、スキャナ２０、及びプリンタ３０の各々の構成について説明する。パソコン１０は、ＣＰＵ（Central Processing Unit）４０と、フラッシュメモリ４２と、ＲＡＭ（Random Access Memory）４４と、ＲＯＭ（Read Only Memory）４６と、入力部４８と、記憶手段に対応するＨＤＤ（Hard Disk Drive）５０と、表示部５２と、通信Ｉ／Ｆ（インタフェース）５４と、バス５６とを含む。
【００２２】
ＣＰＵ４０は、パソコン１０の全体の動作を司るものである。フラッシュメモリ４２は、ＲＡＭ４４に展開されるプログラム及び起動時に動作するブートプログラム等が記憶されている。
【００２３】
ＲＡＭ４４は、ＯＳ（Operating System）やプログラムや画像情報等が展開される記憶装置である。ＲＯＭ４６は、プログラムやデータが記憶された記憶装置である。入力部４８は、利用者がパソコン１０の操作や情報を入力する際に用いられるものである。ＨＤＤ５０は、画像情報やプログラム等が記憶される記憶装置である。表示部５２は、利用者に対して情報を表示するものである。
【００２４】
通信Ｉ／Ｆ５４は、ネットワークに接続するためのＮＩＣ（Network Interface Card）やそのドライバ、或いはＵＳＢデバイス等を含んで構成される。バス５６は、情報のやりとりが行われる際に使用される。
【００２５】
また、スキャナ２０は、スキャナエンジン６２及びＡＤＦ（Auto Document Feeder）６４を含んで構成される。スキャナエンジン６２は、原稿台に置かれた原稿から画像を読み取り、読み取られた画像を示す画像情報を生成する。ＡＤＦ６４は、原稿台に原稿を置くもので、複数枚の原稿を一枚ずつ原稿台に置くようになっている。
【００２６】
プリンタエンジン６６は、画像情報に基づき記録媒体に画像を印刷するエンジンである。排紙部６８は、プリンタエンジン６６が印刷した記録媒体を排紙するもので、特に本実施の形態では、記録媒体の位置をずらして排紙する。位置をずらして排紙することは種々の画像形成装置により実現されている機能であるので、詳細な説明は省略する。
【００２７】
また、上記スキャナ２０、及びプリンタ３０は、図示しないコントローラが搭載されている。このコントローラは、ＣＰＵ、ＲＡＭ、ＲＯＭなどで構成され、スキャナ２０、及びプリンタ３０の各々を全体的に制御するものである。
【００２８】
なお、パソコン１０のＨＤＤ５０には、上述したようにＣＰＵ４０により実行される後述する画像処理プログラムやそのプログラムが用いるデータなどが記録される。このプログラムは、必ずしもＨＤＤ５０に記録されたプログラムでなくても良い。ＨＤＤ５０以外の記録媒体として、具体的には可搬型の記録媒体にプログラムを記録したものが挙げられる。この場合、パソコン１０に、可搬型の記録媒体を読み取るための読み取り装置を設け、可搬型の記録媒体は読み取り装置に対して、磁気、光、電気等のエネルギーの変化状態を引き起こし、それに対応する信号の形式で、読み取り装置にプログラムの記述内容を伝達できるものである。
【００２９】
次に、図３を用いてパソコン１０のソフトウェア構成について説明する。パソコン１０のソフトウェアは、スキャナドライバ８０、導出部８２、検出部８４、制御部８８、及びプリンタドライバ９０を含んで構成される。
【００３０】
このうち、スキャナドライバ８０は、スキャナ２０とのインタフェースであり、スキャナ２０から画像情報（原稿台全体における原稿の位置を確認可能な情報を含む）等を取得する。導出部８２は、スキャナから出力された画像情報に基づいて、原稿台に対する原稿の位置を示す位置情報を導出する。検出部８４は、複数枚の原稿をスキャナ２０により順次読み取っている状態で、導出部８２により導出された位置情報に基づき、複数枚の原稿の区切りを検出する。
【００３１】
制御部８８は、検出部８４により区切りが検出された場合に、区切りが検出される前の画像情報と、区切りが検出された後の画像情報とを、区別してＨＤＤ５０に記憶するよう制御する。
【００３２】
プリンタドライバ９０は、プリンタ３０とのインタフェースであり、印刷するための画像情報、及び排紙位置を定めるための後述する排紙位置情報をプリンタ３０に出力する。
【００３３】
以上の構成で行われる処理について、フローチャートを用いて説明する。まず、図４を用いて、本実施の形態に係る画像処理の流れについて説明する。なお、このフローチャートの前に利用者はＡＤＦ６４に複数件の紙文書をずらして置いているものとする。
【００３４】
まず、ステップ１０１で、スキャナ２０が原稿を読み取り、画像情報を生成する。この画像情報は、パソコン１０に送信される。
【００３５】
次のステップ１０２で、後述する位置取得処理をパソコン１０が行う。このステップ１０２で取得された位置を、次のステップ１０３で前の位置と異なるか否か判定する。前の位置とは、前に読み取った原稿の位置である。また、最初に読み取った画像は「前の位置」が存在しない。そこで、この処理開始前に、前の位置を保持する変数に位置情報としてあり得ない情報（例えば−１）をセットしておくことで、ステップ１０３で必ず前の位置と異なると判定され、最初に読み取った画像を示す画像情報は新規文書として記憶されることとなる。
【００３６】
このステップ１０３で肯定判定した場合には、新規文書として画像情報をＨＤＤ５０に記憶するように制御し、ステップ１０６に進む。一方、ステップ１０３で否定判定した場合には、ステップ１０５で前に読み取った文書と同じ文書として画像情報をＨＤＤ５０に記憶するように制御し、ステップ１０６に進む。
【００３７】
このように、本実施の形態に係る画像処理では、導出された位置情報が異なった場合を、複数枚の原稿の区切りとして検出するようになっており、区切りが検出される前の画像情報と、区切りが検出された後の画像情報とを、異なる文書に属するものとして区別してＨＤＤ５０に記憶する。
【００３８】
なお、区別してＨＤＤ５０に記憶するとは、例えば文書毎にフォルダに分けて記憶することや、画像情報のヘッダに文書を示す識別情報等をセットして記憶することが挙げられる。
【００３９】
次のステップ１０６で、位置情報を排紙位置情報に変換し、画像情報と関連づけて記憶する。この処理は後に印刷して排紙する際の位置を記憶しておくための処理である。次の、ステップ１０７で次の文書がある場合には、ステップ１０１に戻り、次の文書がない場合には、処理を終了する。
【００４０】
次に、上述した位置情報取得処理（ステップ１０２）について、フローチャートを用いて説明する。この位置情報取得処理は２種類あり、以下順に説明する。まず、図５を用いて、位置情報取得処理（その１）について説明する。この位置情報取得処理（その１）は、原稿台に予め定められた基準線に近い原稿の２つの頂点の中点を含む領域の位置に基づいて位置情報を導出する処理である。
【００４１】
ステップ２０１で、画像情報から原稿の４頂点の座標を取得する。ここでの座標は、図６に示されるように、原稿台をＸＹ座標とみなしたものである。次のステップ２０２で、基準線に近い２つの頂点の座標の中点を算出する。具体的には、例えば、２つの頂点の座標がそれぞれ（Ｘ１、Ｙ１）と（Ｘ２、Ｙ２）とすると、その中点の座標は（（Ｘ１+Ｘ２）／２、（Ｙ１＋Ｙ２）／２）として求める。また、この基準線とは、図６に示されるように、原稿台に予め定められたものであり、図６ではＸ軸となっている。そして、基準線に近い頂点は、ａ、ｂである。
【００４２】
次のステップ２０３で中点と基準線の距離を算出する。中点と基準線の距離は、中点から基準線に下ろした垂線の距離とする。次のステップ２０４で、距離が所定距離未満か否か判定する。ここでの所定距離は、利用者、又はメーカが文書の区切りを検出するものとして利用しやすいように予め定めた距離であるので、種々の値を取り得る。
【００４３】
ステップ２０４で肯定判定した場合には、ステップ２０５で位置情報に位置Ａを代入し、ステップ２０４で否定判定した場合には、ステップ２０６で位置情報に位置Ｂを代入し、ステップ２０７で位置情報を返して処理を終了する。
【００４４】
上記位置情報取得処理（その１）を適用した場合の一例を、先ほど用いた図６により説明する。まず、利用者は、同図に示されるように、複数件の紙文書をずらしてＡＤＦ６４に５枚の原稿を置く。また、読み取る順番は、矢印に示されるように、奥から読み取ることとする。また、原稿台は、同図に示される「５０ｍｍライン」により２つの長方形の領域Ａ、Ｂに分割されているものとする。これらの領域Ａ、Ｂに原稿が位置する場合に、それぞれの位置情報を位置Ａ、Ｂと表現する。
【００４５】
まず、一枚目であるが、基準線に近い頂点は頂点ａ、ｂである（以下２枚目から５枚目も同じく頂点ａ、ｂである）。頂点ａ、ｂの中点は基準線上に存在するため、中点と基準線との距離は０ｍｍであり、この場合は位置情報が位置Ａとなる。最初に読み取った画像であるので、この画像を示す画像情報を文書１として、区別して記憶する。
【００４６】
次の２枚目は、１枚目の原稿より小さい原稿であるが、中点と基準線との距離は０ｍｍであるため、位置情報は位置Ａとなり、前の位置情報と同じであるので、２枚目の原稿の画像を示す画像情報は、文書１として記憶する。
【００４７】
３枚目は、１、２枚目と異なり、中点の距離が所定距離（５０ｍｍ）より大きい６０ｍｍであるので、位置情報は位置Ｂとなり、前の位置情報と異なるので、区切りとして検出し、３枚目の原稿の画像を示す画像情報は、新たな文書２として記憶する。
【００４８】
次の４枚目は、３枚目の原稿より小さい原稿であるが、中点と基準線との距離は３０ｍｍであるため、位置情報は位置Ｂとなり、前の位置情報と同じであるので、４枚目の原稿の画像を示す画像情報は、文書２として記憶する。
【００４９】
５枚目は、３、４枚目と異なり、中点の距離が所定距離（５０ｍｍ）より小さい２０ｍｍであるので、位置情報は位置Ａとなり、前の位置情報と異なるので、区切りとして検出し、５枚目の原稿の画像を示す画像情報は、新たな文書３として記憶する。
【００５０】
なお、中点に限らず、最も基準線に近い、または遠い座標により判定しても良いし、その他の点を用いるようにしても良い。
【００５１】
次に、図７を用いて、位置情報取得処理（その２）について説明する。この位置情報取得処理（その２）は、原稿の中心を含む領域の位置に基づいて位置情報を導出する処理である。
【００５２】
まず、この処理における領域について説明する。ここでの領域は１辺の長さをｄとする正方形である。そして原稿台の横幅（Ｘ軸方向）をＸｄ、原稿台の縦幅（Ｙ軸方向）をＹｄとしたとき、ｄはＸｄ及びＹｄを割り切るものとする。
【００５３】
更に数列a(i)=di、b(j)=djを定義する。ここで、i,jは整数であり、数列a(i)、b(j)は、それぞれ0≦i≦Ｘｄ/d、0≦j≦Ｙｄ/dで定義される。
【００５４】
これより、領域Ｓを以下のように定義する。
Ｓ（i,j）＝｛（x,y）｜a(i)≦x＜a(i+1),b(j)≦y＜b(j+1)｝
なお、Ｓにおけるi,jは、0≦i＜Ｘｄ/d、0≦j＜Ｙｄ/dで定義する。
【００５５】
まず、ステップ３０１で画像情報から原稿の４頂点の座標を取得し、ステップ３０２で４頂点の座標から中心を算出する。なお、４頂点の座標を、それぞれ（ｘ１，ｙ１）、（ｘ２，ｙ２）、（ｘ３，ｙ３）、（ｘ４，ｙ４）としたとき、中心は（（ｘ１＋ｘ２＋ｘ３＋ｘ４）/４，（ｙ１＋ｙ２＋ｙ３＋ｙ４）/４）である。
【００５６】
そして、ステップ３０３で、その中心を含む領域を位置情報に代入し、ステップ３０４で位置情報を返す。ここで、中心を含む領域の位置とは、中心を（α、β）としたとき（α、β）∈Ｓ（i,j）を満たす（i,j）であり、この（i,j）を示す情報が位置情報である。
【００５７】
この位置情報取得処理（その２）を適用した場合の一例を、図８を用いて説明する。複数件の紙文書をずらしてＡＤＦ６４に置くことと、読み取る順番は図６と同じであるが、原稿の大きさが全て同じ大きさである。
【００５８】
まず、１枚目における中心を含む領域の位置を位置Ａとし、これを位置情報とする。そして、最初に読み取った画像であるので、この画像を示す画像情報を文書１として、区別して記憶する。
【００５９】
次の２枚目も１枚目と同じ位置Ａが導出されるので、２枚目の原稿の画像を示す画像情報は、文書１として記憶する。３枚目は、１、２枚目と異なり、中心を含む領域が異なるので、その領域の位置を位置Ｂとし、これを位置情報とする。そして、前の位置情報と異なるので、区切りとして検出し、３枚目の原稿の画像を示す画像情報は、新たな文書２として記憶する。
【００６０】
次の４枚目も３枚目と同じ位置Ｂが導出されるので、４枚目の原稿の画像を示す画像情報は、文書２として記憶する。
【００６１】
５枚目は、３、４枚目と異なり、中心を含む領域が異なるので、その領域の位置を位置Ｃとし、これを位置情報とする。そして、前の位置情報と異なるので、区切りとして検出し、５枚目の原稿の画像を示す画像情報は、新たな文書３として記憶する。
【００６２】
以上が位置情報取得処理である。次に、図９を用いて、プリンタ３０で行われる画像形成処理について説明する。まず、ステップ４０１で、パソコン１０から画像情報を取得する。さらにステップ４０２で、パソコン１０から先ほど取得した画像情報に対応する排紙位置情報を取得する。
【００６３】
そして、ステップ４０３で、画像情報に基づき印刷し、ステップ４０４で排紙位置情報が示す位置に排紙し、ステップ４０５で全ページ印刷が終了したか否か判定し、肯定判定した場合には処理を終了し、否定判定した場合には再びステップ４０１の処理を行う。
【００６４】
上述したように、多くの画像形成装置は、位置をずらして排紙する機能を有するため、区別する場合に、排紙位置情報を用いずに、異なる文書に属する画像の場合は、単にずらして排紙するようにしても良い。この場合、ステップ１０６の処理は不要となり、ステップ４０２の処理は、異なる文書か否か、あるいは位置をずらすか否かの情報などを取得することになる。
【００６５】
なお、以上説明した各フローチャートの処理の流れは一例であり、本発明の主旨を逸脱しない範囲内で処理順序を入れ替えたり、新たなステップを追加したり、不要なステップを削除したりすることができることは言うまでもない。
【００６６】
また、実施の形態はパソコン、スキャナ、及びプリンタの構成で説明したが、この構成に限定されるものではなく、本機能を備えるスキャナ装置やスキャナ機能、プリンタ機能など複数の機能をもった画像形成装置として構成してもよい。
【図面の簡単な説明】
【００６７】
【図１】実施の形態に係る画像処理装置を示す図である。
【図２】パソコン、スキャナ、及びプリンタの各々の構成を示す図である。
【図３】パソコンのソフトウェア構成を示す図である。
【図４】画像処理の流れを示すフローチャートである。
【図５】位置情報取得処理の流れを示すフローチャートである（その１）。
【図６】位置情報取得処理（その１）の適用例を示す模式図である。
【図７】位置情報取得処理の流れを示すフローチャートである（その２）。
【図８】位置情報取得処理（その２）の適用例を示す模式図である。
【図９】画像形成処理の流れを示すフローチャートである。
【符号の説明】
【００６８】
１０  パソコン
２０  スキャナ
３０  プリンタ
４０  ＣＰＵ
５０  ＨＤＤ
５４  通信Ｉ／Ｆ
６２  スキャナエンジン
６４  ＡＤＦ
６６  プリンタエンジン
６８  排紙部
８０  スキャナドライバ
８２  導出部
８４  検出部
８８  制御部
９０  プリンタドライバ
【図１】
2010068167.tif 000003
【図２】
2010068167.tif 000004
【図３】
2010068167.tif 000005
【図４】
2010068167.tif 000006
【図５】
2010068167.tif 000007
【図６】
2010068167.tif 000008
【図７】
2010068167.tif 000009
【図８】
2010068167.tif 000010
【図９】
2010068167.tif 000011